(57)【要約】  単一又は複数のクライアントから送信される複数の同時リクエストを、サーバモードで動作する（Ｕ）ＳＩＭカードにより処理する。  本発明は、サーバ（ＳＣＷＳ）を備えたチップカード（（Ｕ）ＳＩＭ）と、一つまたは複数のクライアントとの通信方法に関し、前記カードが、無線移動端末に含まれて少なくとも一つのＢＩＰチャンネルによりこの無線移動端末と通信し、前記端末が、前記ＢＩＰチャンネルと複数のＴＣＰ接続との間で前記一つまたは複数のクライアントとのゲートウェイ機能を果たす。
2007058241.tif 000002
【特許請求の範囲】
【請求項１】
サーバ（ＳＣＷＳ）を備えたチップカード（（Ｕ）ＳＩＭ）と、一つまたは複数のクライアントとの通信方法であって、前記カードは、無線移動端末に含まれており、少なくとも一つのＢＩＰチャンネルによりこの無線移動端末と通信し、前記端末が、前記ＢＩＰチャンネルと複数のＴＣＰ接続との間で前記一つまたは複数のクライアントとのゲートウェイ機能を果たすことを特徴とする通信方法。
【請求項２】
前記ＢＩＰチャンネルが前記サーバの第一のコマンド（Ｏｐｅｎ  Ｃｈａｎｎｅｌ）により開き、前記コマンドが、前記ＢＩＰチャンネルに対して開くべきＴＣＰ接続の最大数を前記端末に示すパラメータを含むことを特徴とする、請求項１に記載の通信方法。
【請求項３】
前記サーバは、前記ＢＩＰチャンネルに結合されるＴＣＰ接続の一つから送られるデータが利用可能であることを知らされると、前記端末にこれらのデータを要求する第二のコマンド（Ｒｅｃｅｉｖｅ  Ｄａｔａ）を伝送し、前記コマンドが、前記ＴＣＰ接続を識別するパラメータを含むことを特徴とする、請求項２に記載の通信方法。
【請求項４】
前記サーバが、ＢＩＰチャンネルを介して前記端末にデータを送信し、第三のコマンド（Ｓｅｎｄ  Ｄａｔａ）によって、これらのデータを一つまたは複数のクライアントに伝送するように前記端末に要求し、前記コマンドが、伝送のために端末が使用すべきＴＣＰ接続を識別するパラメータを含むことを特徴とする、請求項２または３に記載の通信方法。
【請求項５】
前記サーバは、第四のコマンド（Ｃｌｏｓｅ  Ｃｈａｎｎｅｌ）により、前記ＢＩＰチャンネルに結合される一つまたは複数のＴＣＰ接続を閉じるように前記端末に要求し、前記コマンドが、閉じるべき一つまたは複数のＴＣＰ接続を識別するパラメータを含むことを特徴とする、請求項１から４のいずれか一項に記載の通信方法。
【請求項６】
前記サーバが、第四のコマンド（Ｃｌｏｓｅ  Ｃｈａｎｎｅｌ）により、ＢＩＰチャンネルに結合される一つまたは全てのＴＣＰ接続を閉じるように前記端末に要求し、前記コマンドは、
（ａ）ＢＩＰチャンネルに結合されるＴＣＰ接続を一つだけ閉じるのか、それとも
（ｂ）ＴＣＰチャンネルに結合される全てのＴＣＰ接続を閉じるのかを、端末に示すパラメータを含み、
前記パラメータは、（ａ）の場合、閉じるべきＴＣＰ接続を識別することを特徴とする、請求項１から４のいずれか一項に記載の通信方法。
【請求項７】
第四のコマンドは、さらに、（ｂ）の場合、ＢＩＰチャンネルを同様に閉じるかどうかを示すことを特徴とする、請求項６に記載の通信方法。
【請求項８】
前記端末は、前記サーバに事象メッセージ（Ｄａｔａ  ａｖａｉｌａｂｌｅ  ｅｖｅｎｔ）を伝送し、前記メッセージは、前記ＢＩＰチャンネルに対して一つまたは複数のクライアントのデータを利用できるかどうかを示すとともに、これらのデータを受信する前記チャンネルに結合されるＴＣＰチャンネルを識別することを特徴とする、請求項１から７のいずれか一項に記載の方法。
【請求項９】
前記端末は、ＢＩＰチャンネルに結合されるＴＣＰ接続が設定または閉鎖されたことを示すとともにこの接続を識別する事象メッセージ（Ｃｈａｎｎｅｌ  ｓｔａｔｕｓ  ｅｖｅｎｔ）を、前記サーバに伝送することを特徴とする、請求項１から８のいずれか一項に記載の通信方法。
【請求項１０】
サーバを備えるチップカード（（Ｕ）ＳＩＭ）から移動端末に送られて、前記サーバと前記端末との間でＢＩＰチャンネルを開くように構成されたコマンドメッセージにおいて、前記端末が、ＢＩＰチャンネルと複数のＴＣＰ接続との間でゲートウェイ機能を果たし、前記メッセージが、前記ＢＩＰチャンネルのために開くべきＴＣＰ接続の最大数を前記端末に示すパラメータを含むことを特徴とする、コマンドメッセージ。
【請求項１１】
規格ＥＴＳＩ  ＴＳ  １０２２２３  Ｖ７．１．０のコマンド「Ｏｐｅｎ  Ｃｈａｎｎｅｌ」のフォーマットに適合し、前記パラメータが、このコマンドのフィールド「Ｃｏｍｍａｎｄ  Ｑｕａｌｉｆｉｅｒ」で符号化されることを特徴とする、請求項１０に記載のコマンドメッセージ。
【請求項１２】
サーバを備えたチップカード（（Ｕ）ＳＩＭ）から、ＢＩＰチャンネルにより前記カードと通信する移動端末に伝送されるように構成されたコマンドメッセージにおいて、前記端末が、ＢＩＰチャンネルと複数のＴＣＰ接続との間でゲートウェイ機能を果たし、前記メッセージは、サーバが、ＢＩＰチャンネルに結合される前記ＴＣＰ接続のどの接続からデータ受信を望むのか前記端末に示すパラメータを含むことを特徴とする、コマンドメッセージ。
【請求項１３】
規格ＥＴＳＩ  ＴＳ  １０２２２３  Ｖ７．１．０のコマンド「Ｒｅｃｅｉｖｅ  Ｄａｔａ」のフォーマットに適合し、前記パラメータが、このコマンドのフィールド「Ｃｏｍｍａｎｄ  Ｑｕａｌｉｆｉｅｒ」で符号化されることを特徴とする、請求項１２に記載のコマンドメッセージ。
【請求項１４】
サーバを備えたチップカード（（Ｕ）ＳＩＭ）から、ＢＩＰチャンネルにより前記カードと通信する移動端末に伝送されるように構成されたコマンドメッセージにおいて、前記端末が、前記ＢＩＰチャンネルと複数のＴＣＰ接続との間でゲートウェイ機能を果たし、前記メッセージは、ＢＩＰチャンネルに結合されるＴＣＰ接続のどの接続で端末がデータ伝送すべきかを、前記端末に示すパラメータを含むことを特徴とする、コマンドメッセージ。
【請求項１５】
規格ＥＴＳＩ  ＴＳ  １０２２２３  Ｖ７．１．０のコマンド「Ｓｅｎｄ  Ｄａｔａ」のフォーマットに適合し、前記パラメータが、このコマンドのフィールド「Ｃｏｍｍａｎｄ  Ｑｕａｌｉｆｉｅｒ」で符号化されることを特徴とする、請求項１４に記載のコマンドメッセージ。
【請求項１６】
サーバを備えたチップカード（（Ｕ）ＳＩＭ）から、ＢＩＰチャンネルにより前記カードと通信する移動端末に伝送されるように構成されたコマンドメッセージにおいて、前記端末が、前記ＢＩＰチャンネルと複数のＴＣＰ接続との間でゲートウェイ機能を果たし、前記メッセージは、
（ａ）ＢＩＰチャンネルに結合されるＴＣＰ接続を一つだけ閉じるのか、それとも
（ｂ）ＴＩＰチャンネルに結合される全てのＴＣＰ接続を閉じるのかを、端末に示すパラメータを含み、
前記パラメータは、（ａ）の場合、閉じるべきＴＣＰ接続を識別することを特徴とする、コマンドメッセージ。
【請求項１７】
パラメータが、さらに、（ｂ）の場合、ＢＩＰチャンネルを同様に閉じるかどうかを示すことを特徴とする、請求項１６に記載のコマンドメッセージ。
【請求項１８】
規格ＥＴＳＩ  ＴＳ  １０２２２３  Ｖ７．１．０のコマンド「Ｃｌｏｓｅ  Ｃｈａｎｎｅｌ」のフォーマットに適合し、前記パラメータが、このコマンドのフィールド「Ｃｏｍｍａｎｄ  Ｑｕａｌｉｆｉｅｒ」で符号化されることを特徴とする、請求項１５または１６に記載のコマンドメッセージ。
【請求項１９】
移動端末から、サーバを備えたチップカード（（Ｕ）ＳＩＭ）に伝送されるように構成された事象メッセージにおいて、前記端末が、ＢＩＰチャンネルにより前記カードと通信し、前記端末が、前記ＢＩＰチャンネルと複数のＴＣＰ接続との間でゲートウェイ機能を果たし、前記メッセージは、クライアントがデータを受信したことを示し、また、データを受信したＴＣＰ接続を識別するパラメータを含むことを特徴とする、事象メッセージ。
【請求項２０】
規格ＥＴＳＩ  ＴＳ  １０２２２３  Ｖ７．１．０のエンベロープコマンド「Ｄａｔａ  ａｖａｉｌａｂｌｅ  ｅｖｅｎｔ」のフォーマットに適合し、前記パラメータが、このコマンドのフィールド「Ｃｈａｎｎｅｌ  Ｓｔａｔｕｓ」で符号化されることを特徴とする、請求項１９に記載の事象メッセージ。
【請求項２１】
移動端末から、サーバを備えたチップカード（（Ｕ）ＳＩＭ）に伝送されるように構成された事象メッセージであって、前記端末が、ＢＩＰチャンネルで前記カードと通信し、前記端末が、前記ＢＩＰチャンネルと複数のＴＣＰ接続との間でゲートウェイ機能を果たし、前記メッセージは、ＢＩＰチャンネルに結合されるＴＣＰ接続が設定されたか閉鎖されたかを示し、この接続を識別するパラメータを含むことを特徴とする、事象メッセージ。
【請求項２２】
規格ＥＴＳＩ  ＴＳ  １０２２２３  Ｖ７．１．０のエンベロープコマンド「Ｃｈａｎｎｅｌ  ｓｔａｔｕｓ  ｅｖｅｎｔ」のフォーマットに適合し、前記パラメータが、このコマンドのフィールド「Ｃｈａｎｎｅｌ  Ｓｔａｔｕｓ」で符号化されることを特徴とする、請求項２１に記載の事象メッセージ。
【請求項２３】
請求項１０から１８のいずれか一項に記載のコマンドメッセージを生成するように構成されたソフトウェア手段を含むことを特徴とする、サーバ（ＳＣＷＳ）を備えた、チップカード（（Ｕ）ＳＩＭ）。
【請求項２４】
請求項１９から２２のいずれか一項に記載の事象メッセージを生成するように構成されたソフトウェア手段を含むことを特徴とする、移動端末。
【請求項２５】
サーバ（ＳＣＷＳ）を備えたＳＩＭ機能（（Ｕ）ＳＩＭ）を有する装置と、一つまたは複数のクライアントとの通信方法であって、前記装置が、無線移動端末に接続されて少なくとも一つのＢＩＰチャンネルによりこの無線移動端末と通信し、前記端末が、前記ＢＩＰチャンネルと複数のＴＣＰ接続との間で、一つまたは複数のクライアントとのゲートウェイ機能を果たすことを特徴とする、通信方法。
【発明の詳細な説明】
【技術分野】
【０００１】
本発明は、移動通信、特に、移動端末内でチップカードを使用する通信の分野に関する。
【背景技術】
【０００２】
たとえばＧＳＭネットワークでは、加入者は、その移動端末に、メモリとマイクロコントローラとを含むチップカード、いわゆるＳＩＭカード（Ｓｕｂｓｃｒｉｂｅｒ  Ｉｄｅｎｔｉｔｙ  Ｍｏｄｕｌｅ）を有することが知られている。メモリは、一般に、オペレータの識別子、ネットワーク関連データ、緊急呼出し番号、電話ディレクトリ等を含むディレクトリおよびファイルを保存する。【０００３】
近年、ＳＩＭカードは、ＳＭＳ（Ｓｈｏｒｔ  Ｍｅｓｓａｇｅ  Ｓｅｒｖｉｃｅ）を用いることにより、一定ファイルの内容を遠隔サーバでディレクトリとして保護可能な新しい機能を備えた。最新の動向は、２．５Ｇとも呼ばれるＧＰＲＳ（Ｇｅｎｅｒａｌ  Ｐａｃｋｅｔ  Ｒａｄｉｏ  Ｓｅｒｖｉｃｅ）ネットワークと、３Ｇとも呼ばれるＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）とで、ＳＩＭカードが果たす見込みである役割に関する。この場合、ＳＩＭカードは、ＵＩＣＣ（Ｕｎｉｖｅｒｓａｌ  Ｉｎｔｅｇｒａｔｅｄ  Ｃｉｒｃｕｉｔ  Ｃａｒｄ）とも呼ばれる。以下、世代を問わずＳＩＭ機能を含むカードを示す場合、（Ｕ）ＳＩＭという包括的な用語を用いることにする。この範疇において、移動端末の接続モードに関係なく、すなわち、回線切換モード（一般にＧＳＭ）でもパケットモード（一般にＧＰＲＳ）でも、（Ｕ）ＳＩＭカードが、端末とネットワークとにアクセスできるようにする機構が提案された。この機構は、ＢＩＰ（Ｂｅａｒｅｒ  Ｉｎｄｅｐｅｎｄｅｎｔ  Ｐｒｏｔｏｃｏｌ）という略号で知られ、論理回路によって、（Ｕ）ＳＩＭカードが、移動端末と通信できる。このため、ＢＩＰチャンネルと呼ばれる。一般に、カードと端末との間には一つまたは複数のＢＩＰチャンネルを設定できることに留意しなければならない。この端末は、（Ｕ）ＳＩＭカードのアプリケーションが端末のアプリケーションと相互作用可能なミドルウェアソフトウェア（ｍｉｄｄｌｅｗａｒｅ）を有する。このソフトウェアはＣＡＴ（Ｃａｒｄ  Ａｐｐｌｉｃａｔｉｏｎ  Ｔｏｏｌｋｉｔ）とも呼ばれる。【０００４】
ＢＩＰプロトコルの詳しい説明については、文献ＥＴＳＩ  ＴＳ１０２２２３の、特に２００５年１０月付の第７版Ｖ７．１．０を参照されたい（ HYPERLINK "http://www.etsi.org" ｗｗｗ．ｅｔｓｉ．ｏｒｇのサイトで入手可）。【０００５】
ＢＩＰプロトコルにより、（Ｕ）ＳＩＭカードは、特に、クライアントとして作用し、遠隔サーバに様々な要求を送信できる。最近、（Ｕ）ＳＩＭカードにサーバを収容することが提案された。この場合、遠隔クライアントまたはローカルクライアント（すなわち、移動端末内のローカルブラウザまたはアプレットのようなもの）は、カードに収容されたサーバにｈｔｔｐ要求を伝送し、特にそのメモリに保存されたｗｅｂページを取り込むことができる。（Ｕ）ＳＩＭカードがクライアントモードで作用してもサーバモードで作用しても、移動端末は、ミドルウェアソフトウェアＣＡＴによりＢＩＰプロトコルをＴＣＰ／ＩＰプロトコルに変換し、またその逆に変換する。【０００６】
図１は、サーバモードで作用する（Ｕ）ＳＩＭカードとクライアントとの通信を概略的に示している。【０００７】
（Ｕ）ＳＩＭカード（ここではＵＩＣＣカード）は、ＳＣＷＳ（ＳｍａｒｔＣａｒｄ  Ｗｅｂ  Ｓｅｒｖｅｒ）サーバ１１０と、ここではＳＡＴＳ（ＳＩＭ  Ａｐｐｌｉｃａｔｉｏｎ  Ｔｏｏｌｋｉｔ  Ｓｅｒｖｅｒ）と呼ばれてＢＩＰプロトコルとＴＣＰ／ＩＰプロトコルとのゲートウェイ機能を果たす、ＣＡＴソフトウェアモジュール１２０と、クライアントおよびサーバのＴＣＰ／ＩＰスタック１３０、１４０と、クライアント１５０とを含むことが分かる。このクライアントは、たとえば端末のブラウザまたはミッドレットといったローカルクライアントでも、遠隔アプリケーションでもよい。【０００８】
ＢＩＰプロトコルの現行の仕様に応じて、単一のクライアント接続は、ＢＩＰチャンネルによって受容可能である。そのため、カードのサーバが別のクライアント接続を受容したい場合、新しいチャンネルを形成しなければならない。ＢＩＰチャンネルの数は限られているので（規格ＴＳ１０２２２３によれば最大７個であるが、移動端末がサポートできるのはそれ以下である）、動作条件が重要である。たとえば、ＢＩＰチャンネルの最大数に達しているのにカードがクライアントモードでＢＩＰチャンネルを開きたい場合、カードは、ＢＩＰチャンネル、たとえばサーバモードのＢＩＰチャンネルを予め閉じなければならない。【０００９】
さらに、複数のＢＩＰチャンネルが設定されている場合、様々なチャンネルで同時にデータ交換することはできない。言い換えると、移動端末とカードとの通信は、一つのＢＩＰチャンネルから別のＢＩＰチャンネルへと直列モードで行われる。【００１０】
図２は、カードと、たとえばローカルブラウザであるクライアントとの間のサーバモード通信の時系列図を示す。簡略化のために、ＴＣＰ／ＩＰスタックは図示されていない。【００１１】
サーバがクライアントとの接続をサポートするのは逐次的にすぎないことがわかる。そのため、同じクライアントからの二つの接続リクエスト（たとえば２個の接続リクエストＨＴＴＰ  ＧＥＴによる）が、連続して満たされる。【００１２】
クライアントとの接続／接続解除を知らせるためにゲートウェイ１２０からサーバ１１０に伝送される事象メッセージは、当該接続の識別子を含まない。【００１３】
プロトコル仕様ＨＴＴＰ  １．０と、それ以前の仕様では、ＴＣＰ接続が、デフォルトにより、リクエストと回答のやりとり後に閉じられる（リクエストのヘッダにおける「ｃｏｎｎｅｃｔｉｏｎ：Ｃｌｏｓｅ」）。しかし、リクエストにヘッダ「ｃｏｎｎｅｃｔｉｏｎ：Ｋｅｅｐ−Ａｌｉｖｅ」を入れることによって、接続の開放保持を要求することが可能になる。この場合、クライアントが別のリクエストを送ると、この別のリクエストは、前に形成された接続を使用する。プロトコル仕様ＨＴＴＰ  １．１では、接続がデフォルトにより開放保持される。【００１４】
クライアントが、たとえば最初のＨＴＭＬページをダウンロードした後で他のオブジェクト（画像、音声）をダウンロードしなければならないために、複数のＨＴＴＰ  １．１リクエストをたて続けに送信すると、最初のリクエスト以外のリクエストは受信されない。【００１５】
図３は、上記の状況、すなわち、クライアント（ブラウザ）１５０からサーバ１１０への連続リクエスト２１０を示す。このような連続リクエストは、上記規格の項目６．４．２７．１に規定されているように、サーバがいわゆる「ａｕｔｏｍａｔｉｃ  ｒｅｃｏｎｎｅｃｔｉｏｎ（自動再接続）」モードで作動する場合、このサーバにより処理可能である。第一のリクエストにより要求される接続は、ステップ２１１でクライアントにより確定される。単一のＴＣＰ接続を受容可能であるので、第二のリクエストは拒否され、クライアントはこのことをステップ２１１で知らされる。クライアントとサーバがＴＣＰ接続とＢＩＰチャンネルとを介してデータ交換した後で、クライアントは、接続遮断リクエスト２１３を伝送し、これがステップ２１４で確定される。【００１６】
ブラウザは、第二のリクエストを再開し、ステップ２１２での最初の失敗後にセットされた（ブラウザまたはクライアントのＴＣＰ／ＩＰスタックの）タイマー２１５の時間切れ後、ステップ２１６で再び接続を要求する。実際には、タイミング調節は１０秒間にすることができ、これにより、ダウンロードを著しく抑制し、幾つかのオブジェクトがダウンロードされないこともあり得る。【００１７】
図４は、サーバモードで作用するカード１１０と、２つのクライアント、ここでは、移動端末１５０のブラウザとＪａｖａ（登録商標）アプリケーションのミッドレット１６０（たとえば移動端末における一セット）との２つのローカルクライアントとの間の通信の試みを示す。【００１８】
ここで確認できるように、ブラウザが２２０で有利な接続の試みを行った後で、ミッドレットからの接続リクエストは２２１で失敗している。何故なら、ＢＩＰチャンネルに結合されるＴＣＰポートを利用できないからである。さらに決定的な状況では、ブラウザのＨＴＴＰリクエストがＫｅｅｐ−Ａｌｉｖｅタイプ（たとえばＨＴＴＰ１．１リクエスト）で、ブラウザがもはや新しいデータを要求しない場合、サーバのＴＣＰポートは、サーバが作動していないのに動き続ける。たとえば、ユーザが、サーバの１頁をダウンロードした後で、サーバへのアクセスを求める新しいアプリケーションの開始を決定した場合、この新しいアプリケーションが展開可能になるのは、第１の接続に対して（ブラウザの）タイマーが時間切れになってからである。【００１９】
結局、現行のＢＩＰプロトコルは、カードのサーバに対して、単一のクライアントであることを課している（少なくともＢＩＰチャンネルを一つしか開放できない場合）。【００２０】
図５は、サーバモードで作用するカード１１０と、クライアントとの通信を示している。サーバは、それ自体が、上記規格の項目６．４．２７．１の意味で、いわゆる「自動再接続（ａｕｔｏｍａｔｉｃ  ｒｅｃｏｎｎｅｃｔｉｏｎ）」モードである。簡単にいうと、サーバがこのモードにある場合、クライアントとのＴＣＰ接続が遮断されていてゲートウェイが新しい接続の待機状態にあれば、ＢＩＰチャンネルが（クローズチャンネルコマンドにより）閉じられていない。その場合、サーバは、クライアントからの第二のリクエストを受容し、新しいＴＣＰ接続を設定できる。この図では、ＴＣＰ／ＩＰスタックを詳しく説明した。【００２１】
第一のステップ２３０では、ＢＩＰチャンネルがＢＩＰプロトコルのコマンド「Ｏｐｅｎ  Ｃｈａｎｎｅｌ」で開かれる。移動端末は、肯定応答「Ｔｅｒｍｉｎａｌ  Ｒｅｓｐｏｎｓｅ」によりこれを確定する。【００２２】
そこで、ブラウザは、ステップ２３１で第一のリクエストを伝送し、ＴＣＰ接続は、交換２３２の後で設定される。ブラウザ１５０は、ステップ２３３に示したようにカード１１０とデータ交換可能である。交換２３３が終了する前に第二のリクエストが２３４でブラウザから伝送される場合、ゲートウェイ１２０は、ステップ２３５で接続要求を拒否し、ステップ２３６で再び新しい接続要求の待機状態に置かれる。
【発明の開示】
【発明が解決しようとする課題】
【００２３】
本発明の目的は、上記の欠点を解消し、特に、同一クライアントまたは異なるクライアントから送られる複数の同時リクエストを、サーバモードで動作する（Ｕ）ＳＩＭカードにより処理可能にすることを目的とする。
【課題を解決するための手段】
【００２４】
このため、本発明は、サーバを備えたチップカードと、一つまたは複数のクライアントとの通信方法により定義され、前記カードが、無線移動端末に含まれて少なくとも一つのＢＩＰチャンネルによりこの無線移動端末と通信し、前記端末が、前記ＢＩＰチャンネルと複数のＴＣＰ接続との間で前記一つまたは複数のクライアントとのゲートウェイ機能を果たすことを特徴とする。【００２５】
これにより、ＢＩＰチャンネルは、この一つまたは複数のクライアントとの複数のＴＣＰ接続をサポートし、同時リクエストに応答することができる。【００２６】
有利には、サーバとゲートウェイとの通信方法が、第一のコマンド（Ｏｐｅｎ  Ｃｈａｎｎｅｌ）を含むことができ、前記コマンドは、前記ＢＩＰチャンネルのために開くべきＴＣＰ接続の最大数を前記端末に示すパラメータを含む。【００２７】
さらに有利には、この通信方法では、前記ＢＩＰチャンネルに結合されるＴＣＰ接続の一つからのデータ伝送を前記端末に要求するサーバが、第二のコマンド（Ｒｅｃｅｉｖｅ  Ｄａｔａ）を送信することができ（このようなデータを利用可能であるとサーバが知らされる場合）、前記コマンドが、前記ＴＣＰ接続を識別するパラメータを含む。【００２８】
有利には、この通信方法は、前記サーバがＢＩＰチャンネルを介して前記端末にデータを送信し、第三のコマンド（Ｓｅｎｄ  Ｄａｔａ）により、前記一つまたは複数のクライアントへのデータ伝送を端末に要求するように構成可能であり、前記コマンドは、伝送のために端末が使用すべきＴＣＰ接続を識別するパラメータを含む。【００２９】
有利には、この通信方法は、前記サーバが、第四のコマンド（Ｃｌｏｓｅ  Ｃｈａｎｎｅｌ）により、前記ＢＩＰチャンネルに結合される一つまたは複数のＴＣＰ接続の閉鎖を前記端末に要求するように構成可能であり、前記コマンドは、閉じるべき一つまたは複数のＴＣＰ接続を識別するパラメータを含む。【００３０】
有利には、この通信方法は、前記端末が前記サーバに「事象メッセージ」（Ｄａｔａ  ａｖａｉｌａｂｌｅ  ｅｖｅｎｔ）を伝送するように構成可能であり、前記メッセージは、一つまたは複数の前記クライアントのデータを前記ＢＩＰチャンネルのために利用可能であることを示すとともに、データを受信した前記チャンネルに結合されるＴＣＰ接続を識別する。【００３１】
さらに有利には、この通信方法は、ＢＩＰチャンネルに結合されるＴＣＰ接続が設定または閉鎖されていることを示してこの接続を識別する「事象メッセージ」（Ｃｈａｎｎｅｌ  ｓｔａｔｕｓ  ｅｖｅｎｔ）を、前記端末が前記サーバに伝送するように構成されている。【００３２】
このように、チップカードとゲートウェイとの間のＢＩＰプロトコルは、同一チャンネルに結合される複数のＴＣＰ接続の管理をサポートできる。【００３３】
本発明は、またこのプロトコルのためのメッセージのフォーマットを構成する。【００３４】
さらに、本発明は、上記の方法を実施可能にするために、コマンドメッセージを発生するように構成されたソフトウェア手段を含むチップカードと、事象メッセージを発生するように構成されたソフトウェア手段を含む移動端末とを対象としている。
【発明を実施するための最良の形態】
【００３５】
本発明は、添付図面を用いた実施形態の説明からいっそう理解されるであろう。【００３６】
本発明の基礎となる概念は、複数のＴＣＰ接続をＢＩＰチャンネルに結合可能にすることである。このため、カードにより収容されるサーバと、ゲートウェイとの間のＢＩＰプロトコルを、所定のＢＩＰチャンネルに対してコマンドがどのＴＣＰ接続に適用されるかを特定するように強化する。【００３７】
特に、後述するように、本発明は、規格ＥＴＳＩ  ＴＳ１０２２２３に規定されたような、サーバのコマンド「Ｒｅｃｅｉｖｅ  ｄａｔａ」、「Ｓｅｎｄ  ｄａｔａ」、「Ｃｌｏｓｅ  ｃｈａｎｎｅｌ」と、移動端末の事象メッセージ「Ｄａｔａ  ａｖａｉｌａｂｌｅ」、「Ｓｔａｔｕｓ  ｃｈａｎｎｅｌ」とが、今後は、それらが適用されるＴＣＰ接続の識別子を含まなければならないように構成する。【００３８】
図６は、本発明の実施時に、サーバモードで作用する（Ｕ）ＳＩＭカードと、たとえば移動端末のブラウザ等のクライアントとの間の通信の時系列表を示している。【００３９】
前述のように、カードとゲートウェイとの交換２４０によりＢＩＰチャンネルが設定される。連続リクエストは、ステップ２４１でブラウザにより伝送される。その応答として、ゲートウェイ１２０により２個のＴＣＰ接続が設定される。すなわち、これらの接続に対して２個のＴＣＰポートが開かれる。接続設定は、ステップ２４３でブラウザにより確定され、カードのサーバは、事象メッセージ「Ｃｈａｎｎｅｌ  ｓｔａｔｕｓ」によりステップ２４４でこれを知らされる。その後、データは、前記ＴＣＰ接続でサーバ宛にブラウザから伝送される。【００４０】
移動端末のゲートウェイ１２０は、事象メッセージ「Ｄａｔａ  ａｖａｉｌａｂｌｅ」によりそれぞれ２個のＴＣＰポートでデータが利用可能であることをステップ２４６、２５０でサーバに知らせる。各メッセージ「Ｄａｔａ  ａｖａｉｌａｂｌｅ」は、関連するＴＣＰ接続を示す。その応答として、サーバは、毎回、どのＴＣＰ接続（ｉｄ−１、ｉｄ−２）が関わるのかを明示しながら、「Ｒｅｃｅｉｖｅ  ｄａｔａ」コマンドにより、データ伝送をゲートウェイに要求する。【００４１】
図６に示した時系列表とは違って、第二の接続リクエストが拒否されず、直ちに使用されることが分かる。【００４２】
一つのポートからのデータが全て伝送されると、図７に示した機構によれば、対応するＴＣＰ接続をサーバが自主的に遮断できる。【００４３】
それにより、通信リソースが解放され、別のリクエストのために使用可能になる。これは、ＢＩＰチャンネルに対するＴＣＰ接続の数に達しているとき、特に有効である。【００４４】
この場合、ポートｉｄ−１の全てのデータがサーバに伝送されているので、このサーバは、ポートを閉じる決定をする。そのため、閉じるＴＣＰ接続を識別するコマンド「Ｃｌｏｓｅ  ｃｈａｎｎｅｌ」をステップ２５８で伝送する。【００４５】
図８は、２個のクライアント、たとえば移動端末のブラウザとミッドレットとが、（Ｕ）ＳＩＭカードのサーバへの接続を試みる状況を示している。２個のＴＣＰ接続の設定により、２個のリクエスト２６０、２６２に直ちに応じることができる。移動端末のゲートウェイ１２０は、関与するＴＣＰ接続を識別する事象メッセージ「Ｓｔａｔｕｓ  ｃｈａｎｎｅｌ」２６１、２６３によりサーバにこれを伝える。同様に、接続遮断リクエストは、遮断するＴＣＰ接続を識別する事象メッセージ「Ｓｔａｔｕｓ  ｃｈａｎｎｅｌ」により、ステップ２６５、２６７で、これを知らせる。【００４６】
図９は、（Ｕ）ＳＩＭカードのサーバが「ａｕｔｏｍａｔｉｃ  ｒｅｃｏｎｎｅｃｔｉｏｎ」モードにあるとき、（Ｕ）ＳＩＭカードと、たとえばブラウザ等のクライアントとの通信の時系列表を示す。【００４７】
このモードでは、カードのサーバが、「Ｏｐｅｎ  Ｃｈａｎｎｅｌ」コマンドにより移動端末からＢＩＰチャンネルの開放を要求し、このコマンド内で、ＢＩＰチャンネルが同時にサポートできるＴＣＰ接続の最大数（図示された事例では２個）を明示する。第一のリクエストがブラウザにより送信されると、ＴＣＰ接続が交換２８０として設定される。その場合、第二のリクエストがブラウザにより送信され、第二のＴＣＰ接続が交換２８２として設定される。ブラウザと、（Ｕ）ＳＩＭカードのサーバとは、２個の接続でデータ交換可能になる。ＴＣＰ接続の最大数に達したので、移動端末（ゲートウェイ）は、聴取モードに戻る必要がなく、サーバの新しい接続要求を待つ。ゲートウェイがステップ２８６で聴取モードに戻るのは、ゲートウェイがブラウザからステップ２８４で接続遮断を知らされるときだけである。【００４８】
上記の本発明の実施を可能にするために、規格ＥＴＳＩ  ＴＳ  １０２２３Ｖ７．１．０で規定されたＢＩＰプロトコルの幾つかのコマンドを修正するように構成している。【００４９】
より詳しくは、コマンド「Ｏｐｅｎ  Ｃｈａｎｎｅｌ」をＴＣＰ接続の最大数でパラメータ化することを提案している。この数は、上記規格の項目６．６．２７で規定されたコマンドのＴＬＶデータ要素「Ｃｏｍｍａｎｄ  ｄｅｔａｉｌｓ」のフィールド「Ｃｏｍｍａｎｄ  Ｑｕａｌｉｆｉｅｒ」で示される。【００５０】
「Ｃｌｏｓｅ  ｃｈａｎｎｅｌ」コマンドは、
−（ａ）一つまたは（ｂ）全てのＴＣＰ接続を閉じるべきかどうか、また（ｂ）の場合は、ＢＩＰ論理チャンネル自体も閉じるべきかどうかを示す第一のパラメータと、
−（ａ）の場合に閉じるべき接続を識別する第二のパラメータとにより、パラメータ化される。【００５１】
この二つのパラメータは、上記規格の項目６．６．２８で規定されたコマンドのＴＬＶデータ要素「Ｃｏｍｍａｎｄ  ｄｅｔａｉｌｓ」のフィールド「Ｃｏｍｍａｎｄ  Ｑｕａｌｉｆｉｅｒ」に配置される。【００５２】
このようなコマンドに対する端末の応答（ＴＲ）は、場合によっては、接続識別子を含む。【００５３】
「Ｒｅｃｅｉｖｅ  ｄａｔａ」コマンドは、サーバがデータの回収を望むＴＣＰ接続（すなわちＴＣＰポート）によりパラメータ化される。【００５４】
この接続の識別子は、上記規格の項目６．６．２９で規定されたコマンドのＴＬＶデータ要素「Ｃｏｍｍａｎｄ  ｄｅｔａｉｌｓ」のフィールド「Ｃｏｍｍａｎｄ  Ｑｕａｌｉｆｉｅｒ」で示される。【００５５】
このようなコマンドに対する端末の応答（ＴＲ）は、場合によっては接続識別子を含む。【００５６】
「Ｓｅｎｄ  ｄａｔａ」コマンドは、端末がデータ伝送すべきＴＣＰ接続によりパラメータ化される。【００５７】
この接続の識別子は、上記規格の項目６．６．３０で規定されたコマンドのＴＬＶデータ要素「Ｃｏｍｍａｎｄ  ｄｅｔａｉｌｓ」のフィールド「Ｃｏｍｍａｎｄ  Ｑｕａｌｉｆｉｅｒ」で示される。【００５８】
このようなコマンドに対する端末の応答（ＴＲ）は、場合によっては接続識別子を含む。【００５９】
事象メッセージ（当該規格で「ＥＮＶＥＬＯＰＥ  ｃｏｍｍａｎｄ」とも呼ばれるメッセージ）は、ＴＣＰ接続、すなわち、データ利用可能なＴＣＰポートにより、パラメータ化される。このメッセージは、移動端末から（Ｕ）ＳＩＭカードのサーバに伝送される。このため、メッセージは、上記規格の項目７．５．１０で規定されたメッセージのＴＬＶデータ要素「Ｃｈａｎｎｅｌ  ｓｔａｔｕｓ」のフィールド「Ｃｈａｎｎｅｌ  ｓｔａｔｕｓ」に当該接続の識別子を含む。【００６０】
端末から（Ｕ）ＳＩＭカードのサーバに伝送される事象メッセージ「Ｃｈａｎｎｅｌ  ｓｔａｔｕｓ」は、ＴＣＰ接続の状態を示す。このため、上記規格の項目７．５．１１で規定されたメッセージのＴＬＶデータ要素「Ｃｈａｎｎｅｌ  ｓｔａｔｕｓ」のフィールド「Ｃｈａｎｎｅｌ  ｓｔａｔｕｓ」に前記接続の識別子を含む。
【図面の簡単な説明】
【００６１】
【図１】サーバモードで作用する（Ｕ）ＳＩＭカードとクライアントとの通信を示す概略図である。
【図２】カードとクライアントとの通信を示す概略的な時系列表である。
【図３】連続リクエストがクライアントから（Ｕ）ＳＩＭカードに伝送される状況を示す概略図である。
【図４】（Ｕ）ＳＩＭカードと２個のクライアントとの間の通信の試みを示す概略図である。
【図５】クライアントと（Ｕ）ＳＩＭカードのサーバとの間の通信を示す概略的な時系列表であり、クライアントは、「ａｕｔｏｍａｔｉｃ  ｒｅｃｏｎｎｅｃｔｉｏｎ」モードにある。
【図６】本発明の実施形態による（Ｕ）ＳＩＭカードとクライアントとの通信を示す概略的な時系列表である。
【図７】本発明の実施形態による（Ｕ）ＳＩＭカードとクライアントとの通信遮断機構を示す概略的な時系列表である。
【図８】本発明の実施範囲で、（Ｕ）ＳＩＭカードと２個のクライアントとの通信の試みを示す概略図である。
【図９】（Ｕ）ＳＩＭカードのサーバが「ａｕｔｏｍａｔｉｃ  ｒｅｃｏｎｎｅｃｔｉｏｎ」モードにあるとき、本発明の実施形態による（Ｕ）ＳＩＭカードとクライアントとの通信を概略的に示す時系列表である。
【図１】
2007058241.tif 000003
【図２】
2007058241.tif 000004
【図３】
2007058241.tif 000005
【図４】
2007058241.tif 000006
【図５】
2007058241.tif 000007
【図６】
2007058241.tif 000008
【図７】
2007058241.tif 000009
【図８】
2007058241.tif 000010
【図９】
2007058241.tif 000011
【手続補正書】
【提出日】平成20年6月19日(2008.6.19)
【手続補正１】
【補正対象書類名】特許請求の範囲
【補正対象項目名】全文
【補正方法】変更
【補正の内容】
【特許請求の範囲】
【請求項１】
サーバ（ＳＣＷＳ）を備えたチップカード（（Ｕ）ＳＩＭ）と、一つまたは複数のクライアントとの通信方法であって、前記カードは、無線移動端末に含まれており、少なくとも一つのＢＩＰチャンネルによりこの無線移動端末と通信し、前記端末が、前記ＢＩＰチャンネルと複数のＴＣＰ接続との間で前記一つまたは複数のクライアントとのゲートウェイ機能を果たすことを特徴とする通信方法。
【請求項２】
前記ＢＩＰチャンネルが前記サーバの第一のコマンド（Ｏｐｅｎ  Ｃｈａｎｎｅｌ）により開き、前記コマンドが、前記ＢＩＰチャンネルに対して開くべきＴＣＰ接続の最大数を前記端末に示すパラメータを含むことを特徴とする、請求項１に記載の通信方法。
【請求項３】
前記サーバは、前記ＢＩＰチャンネルに結合されるＴＣＰ接続の一つから送られるデータが利用可能であることを知らされると、前記端末にこれらのデータを要求する第二のコマンド（Ｒｅｃｅｉｖｅ  Ｄａｔａ）を伝送し、前記コマンドが、前記ＴＣＰ接続を識別するパラメータを含むことを特徴とする、請求項２に記載の通信方法。
【請求項４】
前記サーバが、ＢＩＰチャンネルを介して前記端末にデータを送信し、第三のコマンド（Ｓｅｎｄ  Ｄａｔａ）によって、これらのデータを一つまたは複数のクライアントに伝送するように前記端末に要求し、前記コマンドが、伝送のために端末が使用すべきＴＣＰ接続を識別するパラメータを含むことを特徴とする、請求項２または３に記載の通信方法。
【請求項５】
前記サーバは、第四のコマンド（Ｃｌｏｓｅ  Ｃｈａｎｎｅｌ）により、前記ＢＩＰチャンネルに結合される一つまたは複数のＴＣＰ接続を閉じるように前記端末に要求し、前記コマンドが、閉じるべき一つまたは複数のＴＣＰ接続を識別するパラメータを含むことを特徴とする、請求項１から４のいずれか一項に記載の通信方法。
【請求項６】
前記サーバが、第四のコマンド（Ｃｌｏｓｅ  Ｃｈａｎｎｅｌ）により、ＢＩＰチャンネルに結合される一つまたは全てのＴＣＰ接続を閉じるように前記端末に要求し、前記コマンドは、
（ａ）ＢＩＰチャンネルに結合されるＴＣＰ接続を一つだけ閉じるのか、それとも
（ｂ）ＴＣＰチャンネルに結合される全てのＴＣＰ接続を閉じるのかを、端末に示すパラメータを含み、
前記パラメータは、（ａ）の場合、閉じるべきＴＣＰ接続を識別することを特徴とする、請求項１から４のいずれか一項に記載の通信方法。
【請求項７】
第四のコマンドは、さらに、（ｂ）の場合、ＢＩＰチャンネルを同様に閉じるかどうかを示すことを特徴とする、請求項６に記載の通信方法。
【請求項８】
前記端末は、前記サーバに事象メッセージ（Ｄａｔａ  ａｖａｉｌａｂｌｅ  ｅｖｅｎｔ）を伝送し、前記メッセージは、前記ＢＩＰチャンネルに対して一つまたは複数のクライアントのデータを利用できるかどうかを示すとともに、これらのデータを受信する前記チャンネルに結合されるＴＣＰ接続を識別することを特徴とする、請求項１から７のいずれか一項に記載の方法。
【請求項９】
前記端末は、ＢＩＰチャンネルに結合されるＴＣＰ接続が設定または閉鎖されたことを示すとともにこの接続を識別する事象メッセージ（Ｃｈａｎｎｅｌ  ｓｔａｔｕｓ  ｅｖｅｎｔ）を、前記サーバに伝送することを特徴とする、請求項１から８のいずれか一項に記載の通信方法。
【請求項１０】
サーバを備えるチップカード（（Ｕ）ＳＩＭ）から移動端末に送られて、前記サーバと前記端末との間でＢＩＰチャンネルを開くように構成されたコマンドメッセージにおいて、前記端末が、ＢＩＰチャンネルと複数のＴＣＰ接続との間でゲートウェイ機能を果たし、前記メッセージが、前記ＢＩＰチャンネルのために開くべきＴＣＰ接続の最大数を前記端末に示すパラメータを含むことを特徴とする、コマンドメッセージ。
【請求項１１】
規格ＥＴＳＩ  ＴＳ  １０２２２３  Ｖ７．１．０のコマンド「Ｏｐｅｎ  Ｃｈａｎｎｅｌ」のフォーマットに適合し、前記パラメータが、このコマンドのフィールド「Ｃｏｍｍａｎｄ  Ｑｕａｌｉｆｉｅｒ」で符号化されることを特徴とする、請求項１０に記載のコマンドメッセージ。
【請求項１２】
サーバを備えたチップカード（（Ｕ）ＳＩＭ）から、ＢＩＰチャンネルにより前記カードと通信する移動端末に伝送されるように構成されたコマンドメッセージにおいて、前記端末が、ＢＩＰチャンネルと複数のＴＣＰ接続との間でゲートウェイ機能を果たし、前記メッセージは、サーバが、ＢＩＰチャンネルに結合される前記ＴＣＰ接続のどの接続からデータ受信を望むのか前記端末に示すパラメータを含むことを特徴とする、コマンドメッセージ。
【請求項１３】
規格ＥＴＳＩ  ＴＳ  １０２２２３  Ｖ７．１．０のコマンド「Ｒｅｃｅｉｖｅ  Ｄａｔａ」のフォーマットに適合し、前記パラメータが、このコマンドのフィールド「Ｃｏｍｍａｎｄ  Ｑｕａｌｉｆｉｅｒ」で符号化されることを特徴とする、請求項１２に記載のコマンドメッセージ。
【請求項１４】
サーバを備えたチップカード（（Ｕ）ＳＩＭ）から、ＢＩＰチャンネルにより前記カードと通信する移動端末に伝送されるように構成されたコマンドメッセージにおいて、前記端末が、前記ＢＩＰチャンネルと複数のＴＣＰ接続との間でゲートウェイ機能を果たし、前記メッセージは、ＢＩＰチャンネルに結合されるＴＣＰ接続のどの接続で端末がデータ伝送すべきかを、前記端末に示すパラメータを含むことを特徴とする、コマンドメッセージ。
【請求項１５】
規格ＥＴＳＩ  ＴＳ  １０２２２３  Ｖ７．１．０のコマンド「Ｓｅｎｄ  Ｄａｔａ」のフォーマットに適合し、前記パラメータが、このコマンドのフィールド「Ｃｏｍｍａｎｄ  Ｑｕａｌｉｆｉｅｒ」で符号化されることを特徴とする、請求項１４に記載のコマンドメッセージ。
【請求項１６】
サーバを備えたチップカード（（Ｕ）ＳＩＭ）から、ＢＩＰチャンネルにより前記カードと通信する移動端末に伝送されるように構成されたコマンドメッセージにおいて、前記端末が、前記ＢＩＰチャンネルと複数のＴＣＰ接続との間でゲートウェイ機能を果たし、前記メッセージは、
（ａ）ＢＩＰチャンネルに結合されるＴＣＰ接続を一つだけ閉じるのか、それとも
（ｂ）ＴＩＰチャンネルに結合される全てのＴＣＰ接続を閉じるのかを、端末に示すパラメータを含み、
前記パラメータは、（ａ）の場合、閉じるべきＴＣＰ接続を識別することを特徴とする、コマンドメッセージ。
【請求項１７】
パラメータが、さらに、（ｂ）の場合、ＢＩＰチャンネルを同様に閉じるかどうかを示すことを特徴とする、請求項１６に記載のコマンドメッセージ。
【請求項１８】
規格ＥＴＳＩ  ＴＳ  １０２２２３  Ｖ７．１．０のコマンド「Ｃｌｏｓｅ  Ｃｈａｎｎｅｌ」のフォーマットに適合し、前記パラメータが、このコマンドのフィールド「Ｃｏｍｍａｎｄ  Ｑｕａｌｉｆｉｅｒ」で符号化されることを特徴とする、請求項１５または１６に記載のコマンドメッセージ。
【請求項１９】
移動端末から、サーバを備えたチップカード（（Ｕ）ＳＩＭ）に伝送されるように構成された事象メッセージにおいて、前記端末が、ＢＩＰチャンネルにより前記カードと通信し、前記端末が、前記ＢＩＰチャンネルと複数のＴＣＰ接続との間でゲートウェイ機能を果たし、前記メッセージは、クライアントがデータを受信したことを示し、また、データを受信したＴＣＰ接続を識別するパラメータを含むことを特徴とする、事象メッセージ。
【請求項２０】
規格ＥＴＳＩ  ＴＳ  １０２２２３  Ｖ７．１．０のエンベロープコマンド「Ｄａｔａ  ａｖａｉｌａｂｌｅ  ｅｖｅｎｔ」のフォーマットに適合し、前記パラメータが、このコマンドのフィールド「Ｃｈａｎｎｅｌ  Ｓｔａｔｕｓ」で符号化されることを特徴とする、請求項１９に記載の事象メッセージ。
【請求項２１】
移動端末から、サーバを備えたチップカード（（Ｕ）ＳＩＭ）に伝送されるように構成された事象メッセージであって、前記端末が、ＢＩＰチャンネルで前記カードと通信し、前記端末が、前記ＢＩＰチャンネルと複数のＴＣＰ接続との間でゲートウェイ機能を果たし、前記メッセージは、ＢＩＰチャンネルに結合されるＴＣＰ接続が設定されたか閉鎖されたかを示し、この接続を識別するパラメータを含むことを特徴とする、事象メッセージ。
【請求項２２】
規格ＥＴＳＩ  ＴＳ  １０２２２３  Ｖ７．１．０のエンベロープコマンド「Ｃｈａｎｎｅｌ  ｓｔａｔｕｓ  ｅｖｅｎｔ」のフォーマットに適合し、前記パラメータが、このコマンドのフィールド「Ｃｈａｎｎｅｌ  Ｓｔａｔｕｓ」で符号化されることを特徴とする、請求項２１に記載の事象メッセージ。
【請求項２３】
請求項１０から１８のいずれか一項に記載のコマンドメッセージを生成するように構成されたソフトウェア手段を含むことを特徴とする、サーバ（ＳＣＷＳ）を備えた、チップカード（（Ｕ）ＳＩＭ）。
【請求項２４】
請求項１９から２２のいずれか一項に記載の事象メッセージを生成するように構成されたソフトウェア手段を含むことを特徴とする、移動端末。
【請求項２５】
サーバ（ＳＣＷＳ）を備えたＳＩＭ機能（（Ｕ）ＳＩＭ）を有する装置と、一つまたは複数のクライアントとの通信方法であって、前記装置が、無線移動端末に接続されて少なくとも一つのＢＩＰチャンネルによりこの無線移動端末と通信し、前記端末が、前記ＢＩＰチャンネルと複数のＴＣＰ接続との間で、一つまたは複数のクライアントとのゲートウェイ機能を果たすことを特徴とする、通信方法。
【国際調査報告】
2007058241.tif 000012
2007058241.tif 000013